(57)【要約】【課題】サブハウジングとメインハウジングとを用いつつも大型化が抑えられたコネクタを提供する。【解決手段】コネクタが、サブハウジング２４と、メインハウジングと、リテーナと、を備え、サブハウジング２４には、相手側サブハウジングと当該サブハウジング２４とのうち、軸方向Ｄ１３と交差する断面が広い方の外周面２４ａ−１から部分的に凹んだ凹部２４ｃが設けられており、リテーナが、凹部２４ｃの内面２４ｃ−１における、サブハウジング２４の軸方向Ｄ１３に対する交差方向Ｄ１４に延在した立面部分であるリテーナ用係止部２４４に二次係止する。【選択図】図５
2019050126.tif 000002
【特許請求の範囲】
【請求項１】
第１端子と、
前記第１端子とは端子種類が異なる第２端子と、
前記第２端子を収容して係止する筒状のサブハウジングと、
前記第１端子を１つ収容して一次係止する第１収容室及び前記サブハウジングを１つ収容して一次係止する第２収容室が、各々少なくとも１つ設けられたメインハウジングと、
前記メインハウジングに取り付けられて、前記第１収容室に収容された前記第１端子及び前記第２収容室に収容された前記サブハウジングに、脱落不能に個々に二次係止するリテーナと、を備え、
前記サブハウジングには、前記第２端子と接合する相手側端子を収容して係止する筒状の相手側サブハウジングと当該サブハウジングとのうち、各々における軸方向と交差する断面が広い方の外周面又は当該外周面の延長面から部分的に凹んだ凹部が設けられており、
前記リテーナが、前記凹部の内面における、前記サブハウジングの軸方向に対する交差方向に延在した立面部分に二次係止することを特徴とするコネクタ。
【請求項２】
前記サブハウジングには、前記第２端子と係止するための端子用係止部と、前記メインハウジングと係止するためのハウジング用係止部と、が設けられていることを特徴とする請求項１に記載のコネクタ。
【請求項３】
前記リテーナは、前記メインハウジングに対し、前記第１端子の前記第１収容室への収容及び前記サブハウジングの前記第２収容室への収容を許容する仮係止状態と、前記第１端子及び前記サブハウジングに二次係止する本係止状態と、の二状態で取付け可能に構成されていることを特徴とする請求項１又は２に記載のコネクタ。
【発明の詳細な説明】
【技術分野】
【０００１】
本発明は、端子がハウジングに収容されたコネクタ、に関するものである。
【背景技術】
【０００２】
コネクタの中には、通常の電線の端部に接続された端子の他に、光ファイバケーブルや同軸ケーブルの端部に接続された端子等といった異種の端子が一緒にハウジングに収容される混合タイプのものがある（例えば、特許文献１又は２参照。）。このようなタイプのコネクタでは、ハウジングに、電線用の端子が収容される収容室と、それとは異種の端子が収容される収容室と、が設けられている。
【０００３】
ここで、上述したような混合タイプのコネクタの中には、異種の端子を収容するサブハウジングを設け、電線用の端子の収容室を有するメインハウジングに、サブハウジング用の収容室を設けたものがある（例えば、特許文献３参照。）。このような形態のコネクタによれば、一般に電線用の端子に比べて変更が加えられることが多い異種の端子について、サブハウジングを変更することで、電線用の端子の収容室を有するメインハウジングの設計変更を抑えて、その変更に対応することができる。
【先行技術文献】
【特許文献】
【０００４】
【特許文献１】特開２００４−０３９２５８号公報
【特許文献２】特開２０１６−０７２１７０号公報
【特許文献３】特開２００８−２２６８６０号公報
【発明の概要】
【発明が解決しようとする課題】
【０００５】
ここで、上述したようなサブハウジングとメインハウジングとを用いるタイプのコネクタでは、サブハウジングをメインハウジングに固定するための構造が必要となるが、その結果、コネクタサイズが大きくなりがちである。
【０００６】
従って、本発明は、上記のような問題に着目し、サブハウジングとメインハウジングとを用いつつも大型化が抑えられたコネクタを提供することを目的とする。
【課題を解決するための手段】
【０００７】
上記課題を解決するために、本発明のコネクタは、第１端子と、前記第１端子とは端子種類が異なる第２端子と、前記第２端子を収容して係止する筒状のサブハウジングと、前記第１端子を１つ収容して一次係止する第１収容室及び前記サブハウジングを１つ収容して一次係止する第２収容室が、各々少なくとも１つ設けられたメインハウジングと、前記メインハウジングに取り付けられて、前記第１収容室に収容された前記第１端子及び前記第２収容室に収容された前記サブハウジングに、脱落不能に個々に二次係止するリテーナと、を備え、前記サブハウジングには、前記第２端子と接合する相手側端子を収容して係止する筒状の相手側サブハウジングと当該サブハウジングとのうち、各々における軸方向と交差する断面が広い方の外周面又は当該外周面の延長面から部分的に凹んだ凹部が設けられており、前記リテーナが、前記凹部の内面における、前記サブハウジングの軸方向に対する交差方向に延在した立面部分に二次係止することを特徴とする。
【発明の効果】
【０００８】
本発明のコネクタでは、サブハウジングをメインハウジングに固定するためにリテーナが二次係止する部位として、相手側サブハウジングとサブハウジングとのうち断面が広い方の外周面又は延長面から部分的に凹んだ凹部の内面における立面部分が利用される。メインハウジングの第２収容室には、第２端子と相手側端子との接合に要する広さが必要となるが、この広さは、相手側サブハウジングとサブハウジングとのうち広い方の断面に応じた広さとなる。上記の凹部が、断面が広い方の外周面又は延長面から部分的に凹んだ部位であることから、上記の立面部分は、第２収容室における第２端子と相手側端子との接合に要する広さの中に必ず納まることとなる。つまり、リテーナが二次係止する部位のためにメインハウジングの内部に新たにスペースを拡張する必要がなく、この二次係止構造についてメインハウジング側での大型化が抑えられる。このように、本発明によれば、サブハウジングとメインハウジングとを用いて設計上及び製造上の負担を抑えつつもコネクタの大型化を抑えることができる。
【図面の簡単な説明】
【０００９】
【図１】本発明の一実施形態にかかるコネクタを示す図である。
【図２】図１に示されているコネクタの分解図である。
【図３】オス型のコネクタの組立て手順を説明する模式図である。
【図４】リテーナが仮係止状態まで挿入されたメインハウジングに対して、圧着端子の第１収容室への収容及び一次係止と、サブハウジングの第２収容室への収容及び一次係止と、が行われる様子を示す図である。
【図５】図３に示されているサブハウジングの外観斜視図である。
【図６】図５に示されているサブハウジングの、図中の矢印Ｖ１１方向から見た正面図、矢印Ｖ１２方向から見た側面図、及び、Ｖ１３−Ｖ１３線に沿った断面図である。
【図７】図５及び図６に示されているサブハウジングにおけるリテーナ用係止部と、メインハウジングに仮係止されたにリテーナとの位置関係を示す図である。
【図８】図５及び図６に示されているサブハウジングにおけるリテーナ用係止部と、メインハウジングに本係止されたにリテーナとの位置関係を示す図である。
【図９】メス型のコネクタの組立て手順を説明する模式図である。
【図１０】リテーナが仮係止状態まで挿入されたメインハウジングに対して、圧着端子の第１収容室への収容及び一次係止と、サブハウジングの第２収容室への収容及び一次係止と、が行われる様子を示す図である。
【図１１】図９に示されているサブハウジングの外観斜視図である。
【図１２】図１１に示されているサブハウジングの、図中の矢印Ｖ２１方向から見た正面図、矢印Ｖ２２方向から見た側面図、及び、Ｖ２３−Ｖ２３線に沿った断面図である。
【図１３】図１１及び図１２に示されているサブハウジングにおけるリテーナ用係止部と、メインハウジングに仮係止されたにリテーナとの位置関係を示す図である。
【図１４】図１１及び図１２に示されているサブハウジングにおけるリテーナ用係止部と、メインハウジングに本係止されたにリテーナとの位置関係を示す図である。
【図１５】同軸ケーブルの端部に通信用端子が固定され、この通信用端子がサブハウジングに収容されて係止されるまでの一連の工程を示す図である。
【発明を実施するための形態】
【００１０】
以下、本発明のコネクタの一実施形態について説明する。
【００１１】
図１は、本発明の一実施形態にかかるコネクタを示す図であり、図２は、図１に示されているコネクタの分解図である。
【００１２】
図１及び図２には、互いに嵌合するメス型のコネクタ１とオス型のコネクタ２とが示されている。これら２つのコネクタ１，２の何れもが、本発明の一実施形態にかかるコネクタに相当する。
【００１３】
これら２つのコネクタ１，２は、レバーロックタイプのコネクタである。メス型のコネクタ１が車両のドアフレーム等といった取付対象物に固定され、オス型のコネクタ２が、このメス型のコネクタ１に嵌合する。
【００１４】
メス型のコネクタ１は、被覆電線１１ａに接続されるメス型の圧着端子１１（第１端子）と、通信用の同軸ケーブル１２ａに接続される、圧着端子１１とは異種となるメス型の通信用端子１２（第２端子）と、を備えた混合タイプのコネクタである。そして、このコネクタ１は、フレーム１３と、サブハウジング１４と、メインハウジング１５と、リテーナ１６と、を備えている。フレーム１３は、ドアフレーム等の取付対象物に固定される。サブハウジング１４は、筒状に形成されて内部に通信用端子１２を収容して係止する。メインハウジング１５は、略矩形状に形成され、フレーム１３に固定される。
【００１５】
メインハウジング１５には、圧着端子１１を１つ収容して一次係止する第１収容室１５１が複数設けられ、サブハウジング１４を１つ収容して一次係止する第２収容室１５２が１つ設けられている。第１収容室１５１及び第２収容室１５２は、２つのコネクタ１，２の嵌合方向Ｄ１１に沿ってメインハウジング１５を貫通して互いに平行に設けられた筒状の部位である。第１収容室１５１及び第２収容室１５２には、一方の開口から圧着端子１１や、通信用端子１２を収容したサブハウジング１４が挿入される。
【００１６】
そして、このメインハウジング１５には、後述のリテーナ１６の挿入孔１５３が設けられている。この挿入孔１５３は、第１収容室１５１及び第２収容室１５２を横切って設けられており、リテーナ１６も、これらの第１収容室１５１及び第２収容室１５２を横切るように、挿入孔１５３に挿入されて取り付けられる。リテーナ１６は、メインハウジング１５に取り付けられて、第１収容室１５１に収容された圧着端子１１及び第２収容室１５２に収容されたサブハウジング１４の双方を、脱落不能に個々に二次係止する。
【００１７】
オス型のコネクタ２も、被覆電線２１ａに接続されるオス型の圧着端子２１と、通信用の同軸ケーブル２２ａに接続される、圧着端子２１とは異種となるオス型の通信用端子２２と、を備えた混合タイプのコネクタである。そして、このコネクタ２は、ロックレバー２３と、サブハウジング２４と、メインハウジング２５と、リテーナ２６と、を備えている。ロックレバー２３は、メインハウジング２５に回動自在に取り付けられ、２つのコネクタ１，２の嵌合時に回動されてこれら２つのコネクタ１，２の嵌合の補助を行うとともに、嵌合後に２つのコネクタ１，２が外れないようにロックする。サブハウジング２４は、筒状に形成されて内部に通信用端子２２を収容して係止する。メインハウジング２５は、メス型のコネクタ１におけるメインハウジング１５が嵌入される略矩形状の凹部２５１が設けられている。
【００１８】
メインハウジング２５における凹部２５１の底から、メス型のコネクタ１との嵌合側とは反対側に向かって、図２では隠れているが、筒状の第１収容室及び第２収容室がメインハウジング２５を貫通して互いに平行に延在している。第１収容室及び第２収容室には、嵌合側とは反対側の開口から圧着端子２１や、通信用端子２２を収容したサブハウジング２４が挿入される。
【００１９】
そして、このメインハウジング２５にも、リテーナ２６の挿入孔２５３が設けられている。この挿入孔２５３も、第１収容室及び第２収容室を横切って設けられており、リテーナ２６も、これらの第１収容室及び第２収容室を横切るように、挿入孔２５３に挿入されて取り付けられる。リテーナ２６は、メインハウジング２５に取り付けられて、第１収容室に収容された圧着端子２１及び第２収容室に収容されたサブハウジング２４の双方を、脱落不能に個々に二次係止する。
【００２０】
次に、メス型のコネクタ１やオス型のコネクタ２の組立て手順について、サブハウジング１４，２４、メインハウジング１５，２５、及びリテーナ１６，２６による圧着端子１１，２１や通信用端子１２，２２の係止構造に適宜に触れながら詳細に説明する。まず、オス型のコネクタ２について説明を行う。
【００２１】
図３は、オス型のコネクタの組立て手順を説明する模式図である。
【００２２】
図３に示されている組立て手順では、まず、メインハウジング２５にリテーナ２６が取り付けられる（ステップＳ１１）。
【００２３】
上述したように、メインハウジング２５には、圧着端子２１を個々に収容して一次係止する第１収容室２５２が複数配列されて設けられ、サブハウジング２４を１つ収容して一次係止する第２収容室２５４が１つ設けられている。第１収容室２５２及び第２収容室２５４は、嵌合方向Ｄ１１に沿ってメインハウジング２５を貫通して互いに平行に設けられ、第２収容室２５４は、第１収容室２５２の格子状の配列の略中央に設けられている。また、リテーナ２６の挿入孔２５３が、第１収容室２５２及び第２収容室２５４を横切って設けられており、リテーナ２６も、これらの第１収容室２５１及び第２収容室２５４を横切るように、挿入孔２５３に挿入されて取り付けられる。
【００２４】
ここで、後述するように、本実施形態ではリテーナ２６が仮係止状態と本係止状態との２段階で挿入孔２５３に挿入される。リテーナ２６には複数の連通孔２６１と１つの連通溝２６２と、が設けられている。リテーナ２６が仮係止状態と本係止状態との何れの位置にあっても、複数の連通孔２６１は複数の第１収容室２５２と一対一に連通し、連通溝２６２は第２収容室２５４と連通する。図３のステップＳ１１では、リテーナ２６が仮係止状態となるまで挿入孔２５３に挿入される。
【００２５】
続くステップＳ１２では、メインハウジング２５にロックレバー２３が取り付けられる。さらに、圧着端子２１の第１収容室２５２への収容と一次係止、及び、通信用端子２２を収容したサブハウジング２４の第２収容室２５４への収容と一次係止が行われる。そして、収容後にリテーナ２６が本係止状態まで挿入されることで、圧着端子２１及びサブハウジング２４が、各々、第１収容室２５２及び第２収容室２５４から脱落不能に二次係止される。リテーナ２６の仮係止状態と本係止状態については後で改めて説明することとし、まず、リテーナ２６が仮係止状態のときに行われる圧着端子２１及びサブハウジング２４の一次係止について説明する。
【００２６】
図４は、リテーナが仮係止状態まで挿入されたメインハウジングに対して、圧着端子の第１収容室への収容及び一次係止と、サブハウジングの第２収容室への収容及び一次係止と、が行われる様子を示す図である。また、図５は、図３に示されているサブハウジングの外観斜視図であり、図６は、図５に示されているサブハウジングの、図中の矢印Ｖ１１方向から見た正面図、矢印Ｖ１２方向から見た側面図、及び、Ｖ１３−Ｖ１３線に沿った断面図である。尚、図４では、ロックレバー２３が省略されているとともに、メインハウジング２５が、図３とは上下裏返しの状態で示されている。また、図４では、第１収容室２５２や第２収容室２５４が見えるように、メインハウジング２５の一部がカットされた状態で示されている。
【００２７】
リテーナ２６は、挿入孔２５３（図３）へと、第１収容室２５２及び第２収容室２５４を横切って挿入方向Ｄ１２に挿入される。このとき、リテーナ２６の仮係止状態とは、圧着端子２１の第１収容室２５２への収容及びサブハウジング２４の第２収容室２５４への収容を許容する、リテーナ２６の挿入孔２５３への挿入状態である。この仮係止状態に続いてリテーナ２６が本係止状態まで挿入されると、圧着端子２１やサブハウジング２４は二次係止されて第１収容室２５２や第２収容室２５４の内部で略動けなくなる。
【００２８】
この仮係止状態において、リテーナ２６の連通孔２６１及び連通溝２６２が、各々メインハウジング２５の第１収容室２５２及び第２収容室２５４と連通している。連通孔２６１を抜けて圧着端子２１が第１収容室２５２へと挿入、収容される。第１収容室２５２の内部には、この第１収容室２５２の内部に圧着端子２１が挿入されたときに、この圧着端子２１に係止するランス２５２ａが設けられている。圧着端子２１は、このランス２５２ａにより第１収容室２５２の内部で一次係止される。
【００２９】
また、仮係止状態において、サブハウジング２４が、連通溝２６２を抜けて第２収容室２５４へと挿入、収容される。ここで、図４に示されているように、第２収容室２５４には、サブハウジング２４に設けられた突起状のハウジング用係止部２４３が嵌入する係止孔２５４ａが設けられている。第２収容室２５４の内部にサブハウジング２４が挿入されると、この係止孔２５４ａにハウジング用係止部２４３が嵌入する。この嵌入により、サブハウジング２４は、第２収容室２５４の内部で一次係止される。
【００３０】
ここで、第２収容室２５４における係止孔２５４ａには、ハウジング用係止部２４３が一時的に沈み込むように変形しつつ嵌入する。係止孔２５４ａは、このような変形を許容するためのオーバーストロークを確保するため、上記の嵌合方向Ｄ１１に沿ったサブハウジング２４の収容方向Ｄ１１１について、ハウジング用係止部２４３よりも大きめに形成されている。このようなサイズ差に、サブハウジング２４やメインハウジング２５における部品製造公差分も加えて、係止孔２５４ａへのハウジング用係止部２４３の係止は、ある程度のガタを許容したものとなっている。つまり、メインハウジング２５の第２収容室２５４には、サブハウジング２４が収容方向Ｄ１１１のガタを許容しつつ一次係止されている。
【００３１】
サブハウジング２４は、樹脂製で筒状に形成されており、その貫通孔２４１の内側に、同軸ケーブル２２ａ（図２）が通されるとともに通信用端子２２（図２）が収容される。本実施形態では、オス型のサブハウジング２４は、同軸ケーブル２２ａが延出する側が矩形ブロック状の筒部分２４ａで、通信用端子２２が収容される側が蒲鉾型の筒部分２４ｂとなっている。
【００３２】
後述するように通信用端子２２には、サブハウジング２４と係止するための突起状の端子側係止部が設けられている。サブハウジング２４には、端子側係止部が嵌入することでこの端子側係止部と係止する孔状の通信端子用係止部２４２が蒲鉾型の筒部分２４ｂに設けられている。また、このサブハウジング２４には、メインハウジング２５と一次係止するための上述したハウジング用係止部２４３が矩形ブロック状の筒部分２４ａに設けられている。更に、サブハウジング２４には、リテーナ２６と二次係止するためのリテーナ用係止部２４４が矩形ブロック状の筒部分２４ａに設けられている。
【００３３】
このオス型のサブハウジング２４は、オス型の通信用端子２２と相手側端子であるメス型の通信用端子１２（図２）との接合に際して、相手側サブハウジングとなるメス型のサブハウジング１４と軸方向Ｄ１３に並ぶ。また、本実施形態では、この接合の際に、オス型のサブハウジング２４における蒲鉾型の筒部分２４ｂに、メス型のサブハウジング１４の一部が進入する構成となっている。その関係上、メス型のサブハウジング１４とオス型のサブハウジング２４とでは、オス型のサブハウジング２４の方が軸方向Ｄ１３と交差する断面が広い。
【００３４】
本実施形態では、上記のように断面が広いオス型のサブハウジング２４における矩形ブロック状の筒部分２４ａには、その外周面２４ａ−１から部分的に溝状に凹んだ凹部２４ｃが設けられている。そして、この凹部２４ｃの内面２４ｃ−１における、サブハウジング２４の軸方向Ｄ１３に対する交差方向Ｄ１４に延在した立面部分が、リテーナ２６と二次係止するためのリテーナ用係止部２４４となっている。
【００３５】
図７は、図５及び図６に示されているサブハウジングにおけるリテーナ用係止部と、メインハウジングに仮係止されたにリテーナとの位置関係を示す図である。また、図８は、図５及び図６に示されているサブハウジングにおけるリテーナ用係止部と、メインハウジングに本係止されたにリテーナとの位置関係を示す図である。
【００３６】
図７及び図８には、図３に示されているようにロックレバー２３が取り付けられてリテーナ２６が仮係止され、サブハウジング２４が収容されたメインハウジング２５を、図３中の矢印Ｖ１４方向から見た平面図が示されている。また、この平面図の左隣には、平面図におけるＶ１５−Ｖ１５線に沿った断面図が示されている。これらの図７及び図８では、圧着端子２１については図示が省略されている。
【００３７】
図７に示されているように、リテーナ２６がメインハウジング２５の挿入孔２５３に矢印Ｄ１２方向に挿入されて仮係止状態となっているときには、リテーナ２６は、サブハウジング２４におけるリテーナ用係止部２４４から離れている。これにより、サブハウジング２４は、メインハウジング２５の第２収容室２５４へと収容方向Ｄ１１１に収容可能となっている。サブハウジング２４は、上述したようにハウジング用係止部２４３がメインハウジング２５の係止孔２５４ａにガタが許容された状態で一次係止するまで第２収容室２５４に収容される。
【００３８】
そして、図８に示されているように、リテーナ２６がメインハウジング２５の挿入孔２５３に矢印Ｄ１２方向に更に挿入されて本係止状態となると、リテーナ２６は、サブハウジング２４におけるリテーナ用係止部２４４に二次係止する。このときには、リテーナ２６は、サブハウジング２４の外周面２４ａ−１における凹部２４ｃに嵌まり込む。これにより、サブハウジング２４は嵌合方向Ｄ１１に不動状態となる。また、このときには、リテーナ２６は、圧着端子２１にも二次係止して、圧着端子２１も嵌合方向Ｄ１１に不動状態となる。
【００３９】
ここで、上述したように、リテーナ２６が仮係止状態にある段階では、メインハウジング２５の第２収容室２５４には、サブハウジング２４が収容方向Ｄ１１１のガタを許容しつつ一次係止されている。これに対し、リテーナ２６が本係止状態まで押し込まれてリテーナ用係止部２４４に係止する際には、リテーナ２６は、リテーナ用係止部２４４を収容方向Ｄ１１１に押しながら係止することとなる。これにより、サブハウジング２４が収容方向Ｄ１１１へと押し出される。その結果、収容方向Ｄ１１１について、ハウジング用係止部２４３が係止孔２５４ａの縁へと押し付けられる。この押付けにより、リテーナ２６が仮係止状態にある段階でのメインハウジング２５とサブハウジング２４との組付けにおけるガタが抑制される。
【００４０】
次に、図１及び図２に示されているメス型のコネクタ１の組立て手順について説明を行う。
【００４１】
図９は、メス型のコネクタの組立て手順を説明する模式図である。
【００４２】
図９に示されている組立て手順では、まず、メインハウジング１５にリテーナ１６が取り付けられる（ステップＳ２１）。
【００４３】
メス型のコネクタ１でも、メインハウジング１５には、圧着端子１１を個々に収容して一次係止する第１収容室１５１が複数配列されて設けられ、サブハウジング１４を１つ収容して一次係止する第２収容室１５２が１つ設けられている。第１収容室１５１及び第２収容室１５２は、嵌合方向Ｄ１１に沿ってメインハウジング１５を貫通して互いに平行に設けられ、第２収容室１５２は、第１収容室１５１の格子状の配列の略中央に設けられている。また、リテーナ１６の挿入孔１５３が、第１収容室１５１及び第２収容室１５２を横切って設けられており、リテーナ１６も、これらの第１収容室２５１及び第２収容室１５２を横切るように、挿入孔１５３に挿入されて取り付けられる。
【００４４】
ここで、後述するように、本実施形態ではリテーナ１６が仮係止状態と本係止状態との２段階で挿入孔１５３に挿入される。リテーナ１６には複数の連通孔１６１と１つの連通溝１６２と、が設けられている。リテーナ１６が仮係止状態と本係止状態との何れの位置にあっても、複数の連通孔１６１は複数の第１収容室１５１と一対一に連通し、連通溝１６２は第２収容室１５２と連通する。図９のステップＳ２１では、リテーナ１６が仮係止状態となるまで挿入孔１５３に挿入される。
【００４５】
続くステップＳ２２では、メインハウジング１５にフレーム１３が取り付けられる。さらに、圧着端子１１の第１収容室１５１への収容と一次係止、及び、通信用端子１２を収容したサブハウジング１４の第２収容室１５２への収容と一次係止が行われる。そして、収容後にリテーナ１６が本係止状態まで挿入されることで、圧着端子１１及びサブハウジング１４が、各々、第１収容室１５１及び第２収容室１５２から脱落不能に二次係止される。リテーナ１６の仮係止状態と本係止状態については後で改めて説明することとし、まず、リテーナ１６が仮係止状態のときに行われる圧着端子１１及びサブハウジング１４の一次係止について説明する。
【００４６】
図１０は、リテーナが仮係止状態まで挿入されたメインハウジングに対して、圧着端子の第１収容室への収容及び一次係止と、サブハウジングの第２収容室への収容及び一次係止と、が行われる様子を示す図である。また、図１１は、図９に示されているサブハウジングの外観斜視図であり、図１２は、図１１に示されているサブハウジングの、図中の矢印Ｖ２１方向から見た正面図、矢印Ｖ２２方向から見た側面図、及び、Ｖ２３−Ｖ２３線に沿った断面図である。尚、図１０では、フレーム１３とともにメインハウジング１５が、図９とは上下裏返しの状態で示されている。また、図１０では、第１収容室１５１や第２収容室１５２が見えるように、メインハウジング１５の一部がカットされた状態で示されている。
【００４７】
リテーナ１６は、挿入孔１５３（図９）へと、第１収容室１５１及び第２収容室１５２を横切って挿入方向Ｄ２２に挿入される。このとき、リテーナ１６の仮係止状態とは、圧着端子１１の第１収容室１５１への収容及びサブハウジング１４の第２収容室１５２への収容を許容する、リテーナ１６の挿入孔１５３への挿入状態である。この仮係止状態に続いてリテーナ１６が本係止状態まで挿入されると、圧着端子１１やサブハウジング１４は二次係止されて第１収容室１５１や第２収容室１５２の内部で略動けなくなる。
【００４８】
この仮係止状態において、リテーナ１６の連通孔１６１及び連通溝１６２が、各々メインハウジング１５の第１収容室１５１及び第２収容室１５２と連通している。連通孔１６１を抜けて圧着端子１１が第１収容室１５１へと挿入、収容される。第１収容室１５１の内部には、この第１収容室１５１の内部に圧着端子１１が挿入されたときに、この圧着端子１１に係止するランス１５１ａが設けられている。圧着端子１１は、このランス１５１ａにより第１収容室１５１の内部で一次係止される。
【００４９】
また、仮係止状態において、サブハウジング１４が、連通溝１６２を抜けて第２収容室１５２へと挿入、収容される。ここで、図１０に示されているように、第２収容室１５２には、サブハウジング１４に設けられた突起状のハウジング用係止部１４３が嵌入する係止孔１５２ａが設けられている。第２収容室１５２の内部にサブハウジング１４が挿入されると、この係止孔１５２ａにハウジング用係止部１４３が嵌入する。この嵌入により、サブハウジング１４は、第２収容室１５２の内部で一次係止される。
【００５０】
ここで、第２収容室１５２における係止孔１５２ａには、ハウジング用係止部１４３が一時的に沈み込むように変形しつつ嵌入する。係止孔１５２ａは、このような変形を許容するためのオーバーストロークを確保するため、上記の嵌合方向Ｄ１１に沿ったサブハウジング１４の収容方向Ｄ１１２について、ハウジング用係止部１４３よりも大きめに形成されている。このようなサイズ差に、サブハウジング１４やメインハウジング１５における部品製造公差分も加えて、係止孔１５２ａへのハウジング用係止部１４３の係止は、ある程度のガタを許容したものとなっている。つまり、メス型のコネクタ１においてもメインハウジング１５の第２収容室１５２には、サブハウジング１４が収容方向Ｄ１１２のガタを許容しつつ一次係止されている。
【００５１】
サブハウジング１４は、樹脂製で筒状に形成されており、その貫通孔１４１の内側に、同軸ケーブル１２ａ（図１）が通されるとともに通信用端子１２（図１）が収容される。本実施形態では、オス型のサブハウジング１４は、同軸ケーブル１２ａが延出する側が矩形ブロック状の筒部分１４ａで、通信用端子１２が収容される側が蒲鉾型の筒部分１４ｂとなっている。
【００５２】
後述するように通信用端子１２には、サブハウジング１４と係止するための突起状の端子側係止部が設けられている。図１０に示されているように、サブハウジング１４には、端子側係止部が嵌入することでこの端子側係止部と係止する孔状の通信端子用係止部１４２が蒲鉾型の筒部分１４ｂに設けられている。また、このサブハウジング１４には、メインハウジング１５と一次係止するための上述したハウジング用係止部１４３が矩形ブロック状の筒部分１４ａに設けられている。更に、サブハウジング１４には、リテーナ１６と二次係止するためのリテーナ用係止部１４４が矩形ブロック状の筒部分１４ａと蒲鉾型の筒部分１４ｂとの境界に設けられている。
【００５３】
ここで、メス型のサブハウジング１４は、相手側サブハウジングとなるオス型のサブハウジング２４における蒲鉾型の筒部分２４ｂに、蒲鉾型の筒部分１４ｂの一部が進入する構成となっている。その関係上、メス型のサブハウジング１４とオス型のサブハウジング２４とでは、このメス型のサブハウジング１４の方が軸方向Ｄ２３と交差する断面が狭い。
【００５４】
本実施形態では、上記のように断面が狭いメス型のサブハウジング１４における矩形ブロック状の筒部分１４ａには、断面が広いオス型のサブハウジング２４の外周面２４ａ−１の延長面２４ａ−２から部分的に凹んだ凹部１４ｃが設けられている。そして、この凹部１４ｃの内面１４ｃ−１における、サブハウジング１４の軸方向Ｄ２３に対する交差方向Ｄ２４に延在した立面部分が、リテーナ１６と二次係止するためのリテーナ用係止部１４４となっている。
【００５５】
このメス型のサブハウジング１４では、矩形ブロック状の筒部分１４ａにおける図１１中の上側で軸方向Ｄ２３に沿った２つの角に面取り部１４ｃ−２が形成されている。リテーナ用係止部１４４は、２つの面取り部１４ｃ−２から、上記の延長面２４ａ−２へと突出した２つの突起１４５において面取り部１４ｃ−２の側を向いた立面部分となっている。また、矩形ブロック状の筒部分１４ａにおける、同軸ケーブル１２ａの延出側にも、２つの面取り部１４ｃ−２の間に延長面２４ａ−２へと突出した突起１４６が１つ設けられている。
【００５６】
図１３は、図１１及び図１２に示されているサブハウジングにおけるリテーナ用係止部と、メインハウジングに仮係止されたにリテーナとの位置関係を示す図であり、図１４は、図１１及び図１２に示されているサブハウジングにおけるリテーナ用係止部と、メインハウジングに本係止されたにリテーナとの位置関係を示す図である。
【００５７】
図１３及び図１４には、フレーム１３が取り付けられてリテーナ１６が仮係止され、サブハウジング１４が収容されたメインハウジング１５を、図９中の矢印Ｖ２４方向から見た平面図が示されている。また、この平面図の左隣には、平面図におけるＶ２５−Ｖ２５線に沿った断面図が示されている。これらの図１３及び図１４では、圧着端子１１については図示が省略されている。
【００５８】
図１３に示されているように、リテーナ１６がメインハウジング１５の挿入孔１５３に矢印Ｄ２２方向に挿入されて仮係止状態となっているときには、リテーナ１６は、サブハウジング１４におけるリテーナ用係止部１４４から離れている。これにより、サブハウジング１４は、メインハウジング１５の第２収容室１５２へと収容方向Ｄ１１２に収容可能となっている。サブハウジング１４は、上述したようにハウジング用係止部１４３がメインハウジング１５の係止孔１５２ａにガタが許容された状態で一次係止するまで第２収容室１５２に収容される。
【００５９】
そして、図１４に示されているように、リテーナ１６がメインハウジング１５の挿入孔１５３に矢印Ｄ２２方向に更に挿入されて本係止状態となると、リテーナ１６は、サブハウジング１４におけるリテーナ用係止部１４４に二次係止する。このときには、リテーナ１６は、サブハウジング１４の凹部１４ｃに嵌まり込む。これにより、サブハウジング１４は、ハウジング用係止部１４３の係止孔１５２ａへの係止と相俟って嵌合方向Ｄ１１に不動状態となる。また、このときには、リテーナ１６は、圧着端子１１にも二次係止して、圧着端子１１も嵌合方向Ｄ１１に不動状態となる。
【００６０】
ここで、上述したように、リテーナ１６が仮係止状態にある段階では、メインハウジング１５の第２収容室１５２には、サブハウジング１４が収容方向Ｄ１１１のガタを許容しつつ一次係止されている。これに対し、リテーナ１６が本係止状態まで押し込まれてリテーナ用係止部１４４に係止する際には、リテーナ１６は、リテーナ用係止部１４４を収容方向Ｄ１１１に押しながら係止することとなる。これにより、サブハウジング１４が収容方向Ｄ１１１へと押し出される。その結果、収容方向Ｄ１１１について、ハウジング用係止部１４３が係止孔１５２ａの縁へと押し付けられる。この押付けにより、リテーナ１６が仮係止状態にある段階でのメインハウジング１５とサブハウジング１４との組付けにおけるガタが抑制される。
【００６１】
次に、上述したサブハウジング１４，２４への通信用端子１２，２２の取付け手順について、メス型のサブハウジング１４への通信用端子１２の取付けを例に挙げて説明する。オス型のサブハウジング２４への通信用端子２２の取付けも略同様の手順で行われる。
【００６２】
図１５は、同軸ケーブルの端部に通信用端子が固定され、この通信用端子がサブハウジングに収容されて係止されるまでの一連の工程を示す図である。尚、この図１５では、サブハウジング１４が、図１０と同じ向きで示されている。
【００６３】
サブハウジング１４は、樹脂製で筒状に形成されており、その貫通孔１４１の内側に、同軸ケーブル１２ａが通されるとともに通信用端子１２が収容される。通信用端子１２は、導体で形成された内側端子１２１と、絶縁部材１２２と、導体で形成された外側端子１２３と、を備えている。外側端子１２３の外周面には、サブハウジング１４と係止するための突起状の端子側係止部１２４が設けられている。サブハウジング１４には、端子側係止部１２４が嵌入することでこの端子側係止部１２４と係止する孔状の通信端子用係止部１４２が設けられている。また、このサブハウジング１４には、上述したようにメインハウジング１５と一次係止するためのハウジング用係止部１４３と、リテーナ１６と二次係止するためのリテーナ用係止部１４４と、が設けられている。
【００６４】
同軸ケーブル１２ａは、内側導体１２ａ−１、内側絶縁体１２ａ−２、外側導体１２ａ−３、及び外側絶縁体１２ａ−４と、を備えている。ステップＳ１では、内側導体１２ａ−１、内側絶縁体１２ａ−２、及び外側導体１２ａ−３が、各々露出される。そして、この状態の同軸ケーブル１２ａがサブハウジング１４の貫通孔１４１に通される。ステップＳ２では、内側導体１２ａ−１に内側端子１２１が圧着される。ステップＳ３では、内側端子１２１の外側に絶縁部材１２２が組み付けられ、ステップＳ４で、絶縁部材１２２の外側を覆うように、外側導体１２ａ−３に外側端子１２３が圧着される。このステップＳ４までの処理により、同軸ケーブル１２ａの端部に通信用端子１２が接続される。
【００６５】
そして、最後に、ステップＳ５において、同軸ケーブル１２ａが矢印Ｄ２５方向に引かれ、通信用端子１２がサブハウジング１４に収容されるとともに、端子側係止部１２４が通信端子用係止部１４２に嵌入する。これにより、サブハウジング１４は、通信用端子１２を収容して通信端子用係止部１４２で通信用端子１２と係止する。
【００６６】
通信用端子１２をこのようにして収容したサブハウジング１４の第２収容室１５２への収容及び一次係止が、被覆電線１１ａに接続された圧着端子１１の第１収容室１５１への収容及び一次係止とともに行われる。上述したように、これらの収容及び一次係止は、リテーナ１６が仮係止状態まで挿入されたメインハウジング１５に対して行われ、その後、リテーナ１６が本係止状態まで挿入される。
【００６７】
本実施形態のオス型のコネクタ２では、サブハウジング２４をメインハウジング２５に固定するためにリテーナ２６が二次係止する部位として、次のような凹部２４ｃの内面における立面部分であるリテーナ用係止部２４４が利用される。即ち、このリテーナ用係止部２４４は、オス型及びメス型のサブハウジング２４，１４のうち断面が広いオス型のサブハウジング２４の外周面２４ａ−１から部分的に凹んだ凹部２４ｃの内面２４ｃ−１における立面部分である。また、メス型のコネクタ１におけるリテーナ用係止部１４４は、上記のように断面が広いオス型のサブハウジング２４の外周面２４ａ−１の延長面２４ａ−２から部分的に凹んだ凹部１４ｃの内面１４ｃ−１における立面部分である。ここで、それぞれのメインハウジング２５，１５の第２収容室２５４，１５２には、オス型及びメス型の通信用端子２２，１２の接合に要する広さが必要となる。この第２収容室２５４，１５２の広さは、オス型及びメス型のサブハウジング２４，１４のうち広い方の断面に応じた広さとなる。上記の凹部２４ｃ，１４ｃは、断面が広いオス型のサブハウジング２４の外周面２４ａ−１又はその延長面２４ａ−２から部分的に凹んだ部位である。このため、上記のリテーナ用係止部２４４，１４４は、第２収容室２５４，１５２におけるオス型及びメス型の通信用端子２２，１２の接合に要する広さの中に必ず納まることとなる。つまり、リテーナ２６，１６が二次係止する部位のためにメインハウジング２５，１５の内部に新たにスペースを拡張する必要がなく、この二次係止構造についてメインハウジング２５，１５の側での大型化が抑えられる。このように、本実施形態によれば、サブハウジング２４，１４とメインハウジング２５，１５とを用いて設計上及び製造上の負担を抑えつつもコネクタ１，２の大型化を抑えることができる。
【００６８】
ここで、本実施形態のサブハウジング２４，１４には、通信用端子２２，１２と係止するための通信端子用係止部２４２，１４２と、メインハウジング２５，１５と係止するためのハウジング用係止部２４３，１４３と、が別個に設けられている。これにより、通信端子用係止部２４２，１４２の形状等が変更となった場合には、設計時や製造時にハウジング用係止部２４３，１４３への影響を最小限に抑えて、通信端子用係止部２４２，１４２を変更することで対応することがきる。このように、本実施形態によれば、設計上及び製造上の負担を一層抑えることができる。
【００６９】
また、本実施形態では、リテーナ２６，１６は、メインハウジング２５，１５に対し、通信用端子２２，１２の収容及びサブハウジング２４，１４の収容を許容する仮係止状態と、双方に二次係止する本係止状態と、の二状態で取付け可能に構成されている。これによれば、リテーナ２６，１６を仮係止した状態で通信用端子２２，１２の収容とサブハウジング２４，１４の収容とを順不同で行って、その後に二次係止することができるので、特に製造上の負担を一層抑えることができる。
【００７０】
また、本実施形態では、メインハウジング２５，１５に直に取り付けられる通信用端子２２，１２に比べて、サイズが大きく取付け時にガタが生じがちなサブハウジング２４，１４については、一次係止におけるガタが許容されている。このため、サブハウジング２４，１４の一次係止の構造については、あまり高い係止精度は必要なく、この点で設計上及び製造上の負担を一層抑えることができる。また、二次係止についても、リテーナ２６，１６による補助的な押圧によってガタを抑制すればよいので、設計上及び製造上の負担を一層抑えることができる。
【００７１】
尚、以上に説明した実施形態は本発明の代表的な形態を示したに過ぎず、本発明は、これらの実施形態に限定されるものではない。即ち、本発明の骨子を逸脱しない範囲で種々変形して実施することができる。かかる変形によってもなお本発明のコネクタの構成を具備する限り、勿論、本発明の範疇に含まれるものである。
【００７２】
例えば、上述した実施形態では、本発明にいう第１端子及び第２端子の一例として、各々、被覆電線２１ａ，１１ａの端部に接続される圧着端子２１，１１、及び同軸ケーブル２２ａ，１２ａの端部に接続される通信用端子２２，１２、が例示されている。しかしながら、本発明にいう第１端子及び第２端子は、これらに限るものではなく、互いに異種の端子であれば、その具体的な態様を問うものではない。
【００７３】
また、上述した実施形態では、本発明にいう第２端子の一例として、サブハウジング２４，１４を介してメインハウジング２５，１５に一種類のみが組み込まれる通信用端子２２，１２が例示されている。しかしながら、本発明にいう第２端子は、これに限るものではない。本発明にいう第２端子は、第１端子に対して異種でさえあれば、例えば同軸ケーブル用の通信用端子と、光ケーブル用のフェルールと、のような複数種類の端子がそれぞれサブハウジングを介して組み込まれるもの等であってもよい。
【００７４】
また、上述した実施形態では、本発明にいうメインハウジングの一例として、圧着端子２１，１１の第１収容室２５２，１５１が複数で、サブハウジング２４，１４の第２収容室２５４，１５２が１つのメインハウジング２５，１５が例示されている。しかしながら、本発明にいうメインハウジングは、これに限るものではなく、例えば第１収容室と第２収容室のそれぞれが複数設けられたものであってもよく、あるいは、第１収容室と第２収容室のそれぞれが１つ設けられたものであってもよい。本発明にいうメインハウジングは、第１収容室及び第２収容室が、各々少なくとも１つ設けられたものであれば、各収容室の具体的な数は適宜に設定し得る。
【００７５】
また、上述した実施形態では、本発明にいうリテーナの一例として、圧着端子２１，１１と、通信用端子２２，１２を収容したサブハウジング２４，１４と、の双方について脱落不能に個々に二次係止するリテーナ２６，１６が例示されている。しかしながら、本発明にいうリテーナはこれに限るものではなく、第１端子と、異種の第２端子と、の何れか一方のみを二次係止するものであってもよい。
【符号の説明】
【００７６】
１，２    コネクタ
１１，２１    圧着端子（第１端子）
１２，２２    通信用端子（第２端子）
１３    フレーム
１４，２４    サブハウジング
１４ｃ，２４ｃ  凹部
１４ｃ−１，２４ｃ−１  内面
１５，２５    メインハウジング
１６，２６    リテーナ
２３    ロックレバー
１２４  端子側係止部
１４１，２４１  貫通孔
１４２，２４１  通信端子用係止部
１４３，２４３  ハウジング用係止部
１４４，２４４  リテーナ用係止部
１５１，２５２  第１収容室
１５１ａ，２５２ａ  ランス
１５２，２５４  第２収容室
１５２ａ，２５４ａ  係止孔
１５３，２５３  挿入孔
１６１，２６１  連通孔
１６２，２６２  連通溝
Ｄ１３，Ｄ２３    軸方向
Ｄ１４，Ｄ１４    交差方向
【図１】
2019050126.tif 000003
【図２】
2019050126.tif 000004
【図３】
2019050126.tif 000005
【図４】
2019050126.tif 000006
【図５】
2019050126.tif 000007
【図６】
2019050126.tif 000008
【図７】
2019050126.tif 000009
【図８】
2019050126.tif 000010
【図９】
2019050126.tif 000011
【図１０】
2019050126.tif 000012
【図１１】
2019050126.tif 000013
【図１２】
2019050126.tif 000014
【図１３】
2019050126.tif 000015
【図１４】
2019050126.tif 000016
【図１５】
2019050126.tif 000017